(57)【要約】【課題】身体に装着する装身具に個人情報データを持たせることにより、個人識別および盗難防止ができるようにする認証情報保持装置を提供する。【解決手段】ユーザが装着する認証情報保持装置１のデータ処理部１１は、ユーザの指紋データと暗証番号データが記憶されている。データ処理部１１を自動車のドア制御装置２の読取部２１に近づけると、読取部２１はデータ処理部１１に記憶されている指紋データと暗証番号データを読み取り、記憶部２３に保持しているデータと比較する。両方のデータが一致した場合のみドアロック制御部２０はドアロックを解除する。ユーザが認証情報保持装置１を外すと、受光素子１３２は発光素子１３１が送信している光を検知する。それにより、ＣＰＵ１１０はデータ処理部１１内の指紋データ、暗証番号データを消去する。【選択図】　　　図１
2004145552.tif 000002
【特許請求の範囲】
【請求項１】
ユーザの身体に装着する装身具に取り付けられる認証情報保持装置であって、
前記ユーザの個人情報を記憶する記憶手段と、
前記記憶手段によって記憶した個人情報を、外部の認証装置に送信する送信手段と、
前記ユーザの装身具への装着を検知する検知手段と、
前記検知手段の検知結果により装着が検知されない場合、前記記憶手段に記憶された前記個人情報を消去する制御手段と
を有する認証情報保持装置。
【請求項２】
前記個人情報が、ユーザの指紋または暗証番号である
ことを特徴とする請求項１記載の認証情報保持装置。
【請求項３】
前記検知手段が、特定の波長を持つ光によってユーザの装着を検知する
ことを特徴とする請求項１記載の認証情報保持装置。
【請求項４】
請求項１から３いずれかに記載の認証情報保持装置と、
前記認証情報保持装置の送信手段によって送信された個人情報を受信し、あらかじめ記憶された情報と比較して本人認証を行う認証装置と
を有する認証システム。
【請求項５】
ユーザの身体に装着する装身具に取り付けられ、ユーザの個人情報を記憶する第１の過程と、
前記個人情報を外部の認証装置に送信する第２の過程と、
前記装身具の装着を検知する第３の過程と、
ユーザの装着が検知されない場合、記憶された前記個人情報を消去する第４の過程と、
前記認証装置が前記個人情報を受信し、あらかじめ記憶された情報と比較して本人認証を行う第５の過程と
を有する認証方法。
【発明の詳細な説明】
【０００１】
【発明の属する技術分野】
本発明は、自動車や住宅の解錠、施錠またはクレジットカードの個人認証に用いられる認証情報保持装置に関する。
【０００２】
【従来の技術】
自動車や住宅は、専用の鍵を自動車の持主あるいは住宅の住人のみが持つことで、持主あるいは住人のみがドアを開けることができる。
また、商品を購入する際に用いられるクレジットカードは、クレジットカードに付随した磁気部を店舗のレジで読み取り、カード所有者本人のサインをすることで、カード所有者本人の認証を行っている。
【０００３】
従来の技術では、腕時計に通信可能なＩＣチップを組み込み、そのＩＣチップに本人を認証するデータを記憶させて、個人認証が必要な各種サービスを受けることができるものもある（例えば、特許文献１参照）。
【０００４】
【特許文献１】
特開２００２−１４９６００号公報
【０００５】
【発明が解決しようとする課題】
しかしながら、自動車の鍵は、持主以外の人が持っていても開けることができ、盗難される可能性がある。また、住宅の鍵はピッキングなどで簡単に解錠できるため、盗難に遭う可能性がある。
また、鍵やクレジットカードは紛失しやすく、紛失した鍵やクレジットカードを拾得した人が悪用する可能性がある。
この発明はこのような点を鑑みてなされたもので、身体に装着する装身具に個人情報データを持たせることにより、個人識別および盗難防止ができるようにする認証情報保持装置、認証システムおよび認証方法を提供することを目的としている。
【０００６】
【課題を解決するための手段】
上記した目的を達成するために、請求項１記載の認証情報保持装置は、ユーザの身体に装着する装身具に取り付けられる認証情報保持装置であって、前記ユーザの個人情報を記憶する記憶手段と、前記記憶手段によって記憶した個人情報を、外部の認証装置に送信する送信手段と、前記ユーザの装身具への装着を検知する検知手段と、前記検知手段の検知結果により装着が検知されない場合、前記記憶手段に記憶された前記個人情報を消去する消去手段とを有する。
【０００７】
請求項２記載の発明は、請求項１記載の認証情報保持装置において、前記個人情報が、ユーザの指紋または暗証番号であることを特徴とする。
【０００８】
請求項３記載の発明は、請求項１記載の認証情報保持装置において、前記検知手段が、特定の波長を持つ光によってユーザの装着を検知することを特徴とする。
【０００９】
請求項４記載の認証システムは、請求項１から３いずれかに記載の認証情報保持装置と、前記認証情報保持装置の外部にあって、前記認証情報保持装置の送信手段によって送信された個人情報を受信し、あらかじめ記憶された情報と比較して本人認証を行う認証装置とを有する。
【００１０】
請求項５記載の認証方法は、ユーザの身体に装着する装身具に取り付けられ、ユーザの個人情報を記憶する第１の過程と、前記個人情報を外部の認証装置に送信する第２の過程と、前記装身具の装着を検知する第３の過程と、ユーザの装着が検知されない場合、記憶された前記個人情報を消去する第４の過程と、前記認証装置が前記個人情報を受信し、あらかじめ記憶された情報と比較して本人認証を行う第５の過程とを有する。
【００１１】
【発明の実施の形態】
以下、図面を参照して本発明の実施の形態を説明する。
図１は、本発明の一実施形態に係る認証情報保持装置１および認証情報保持装置１からの信号によって認証を行うドア制御装置２（認証装置）の概略構成を示したブロック図である。ここで、認証情報保持装置１は図２に示すように指輪に取り付けられ、ドア制御装置２は自動車のドアの内側に取り付けられる。
認証情報保持装置１において、１１はデータ処理部であって、非接触のＩＣタグであり、図２に示すように指輪の外周部に取り付けられている。
データ処理部１１において、１１０はＣＰＵ（制御手段）であり、データ処理部１１全体の制御を行う。１１１は書き込み可能な不揮発性メモリ（記憶手段）であり、ユーザの認証に必要な個人情報データを記憶する。１１２はアンテナであり、ＩＣタグの基板上の配線パターンにより形成されている。１１３は送受信部（送信手段）であり、アンテナ１１２を介して行われる無線の送受信を制御する。また、この送受信部１１３は変復調回路を有し、アンテナ１１２で受信する高周波信号を信号処理し、ＣＰＵ１１０を介してメモリ１１１に保持し、メモリ１１１内のデータを高周波信号に乗せて送信する。
【００１２】
１３は装着認識センサ（検知手段）であり、発光素子１３１と受光素子１３２とから構成され、指輪の内周部に取り付けられている。発光素子１３１は、ある特定波長の光を受光素子１３２に送信する。受光素子１３２は、発光素子１３１からの特定波長光を受けると、受信信号をＣＰＵ１１０へ出力する。１４は太陽電池であり、データ処理部１１の側部に取り付けられており、認証情報保持装置１の各部へ電源を供給する。
【００１３】
次に、ドア制御装置２において、ドアロック制御部２０は、ドアロックの動作全体を制御する。２１は非接触の読取部であり、アンテナを有し、データ処理部１１と無線通信を行って、データ処理部１１のメモリ１１１に記憶されているデータを読み取る。２２は自動車のドアロック部であり、ドアロック制御部２０によって施錠、解錠が行われる。２３は記憶部であり、ユーザが自動車を購入する際に、ユーザの指紋データや暗証番号データを記憶させる。
【００１４】
図３は、認証情報保持装置１内のデータ処理部１１にユーザの個人情報データを入力する本人認証入力装置３のブロック図であり、図４は本人認証入力装置３の構成図である。入力制御部３０は、装置の動作全体を制御する。３１はユーザの指を窓部に接触させて指紋を入力する指紋入力部である。３２は、操作キー入力によって暗証番号を入力するキー入力部である。３３は認証部であり、アンテナを有し、データ処理部１１と接触して無線通信によりユーザの個人情報データをデータ処理部１１に記憶させる。３４はユーザとのインターフェースとなる表示部である。
【００１５】
次に、認証情報保持装置１のデータ処理部１１にユーザの個人情報データを入力する為の、本人認証入力装置３の動作について、図５に示すフローチャートを用いて説明する。認証情報保持装置１は、本人認証入力装置３の認証部３３に、データ処理部１１が認証部３３に接触するよう下向きに載置される（ステップＳａ１）。ユーザは指紋入力部３１に自らの指を接触して入力する。指紋入力部３１は入力されたユーザの指紋をデータ化する。また、ユーザはキー入力部３２で暗証番号を入力する（ステップＳａ３）。入力制御部３０は、指紋入力部３１から得た指紋データと、キー入力部３２から得た番号データを取得し、データが読み取れるかを判断する（ステップＳａ５）。入力制御部３０がデータを読み取れた場合、表示部３４に読取成功と表示する（ステップＳａ７）。読み取れなかった場合は読取エラーを表示して（ステップＳａ９）、ステップＳａ３の処理に戻る。
【００１６】
入力制御部３０が指紋データおよび暗証番号データを読み取ると、そのデータを認証部３３へ送る。認証部３３は、接触しているデータ処理部１１の送受信部１１３と通信してデータを送信し（ステップＳａ１１）、データ処理部１１のメモリ１１１に指紋データおよび暗証番号データを記憶させる。
データ処理部１１へのデータの送信が終了すると、入力制御部３０は表示部３４に、データ処理部１１への送信終了を表示する（ステップＳａ１３）。ユーザは認証部３３から認証情報保持装置１を取り出し、指に装着する。
【００１７】
次に、データ処理部１１によりドア制御装置２が解錠される動作について、図６に示すフローチャートおよび図７に示す概略図を用いて説明する。ユーザが認証情報保持装置１の取り付けられた指輪を指に装着したまま、ユーザの所有するドア制御装置２に行き、図７に示すようにデータ処理部１１を読取部２１に近づける（ステップＳｂ１）。読取部２１はデータ処理部１１に記憶されている指紋データと暗証番号データを無線により読み取る（ステップＳｂ３）。読み取りが成功した場合（ステップＳｂ５で「Ｙｅｓ」）、ドアロック制御部２０は、読み取ったデータと記憶部２３に保持している所有者の指紋データ、暗証番号データを比較する（ステップＳｂ７）。読み取りが失敗した場合（ステップＳｂ５で「Ｎｏ」）、ステップＳｂ３の処理に戻る。
ステップＳｂ７でデータを比較した結果、指紋データ、暗証番号データの両方が一致した場合（ステップＳｂ９で「Ｙｅｓ」）、ドアロック制御部２０はドアロック部２２にドアロックを解除するよう指示する（ステップＳｂ１１）。指紋データ、暗証番号データのどちらか一方でもデータが一致しない場合（ステップＳｂ９で「Ｎｏ」）、ドアロック制御部２０はドアロックを解除せず終了する。
ドアを施錠するときも同様の動作で行われる。
【００１８】
次に、データ処理部１１のデータを消去する動作を、図８に示すフローチャートを用いて説明する。装着認識センサ１３内の発光素子１３１は、ある特定波長の光を受光素子１３２に定期的に送信している（ステップＳｃ１）。ユーザが認証情報保持装置１の取り付けられた指輪を外すと、受光素子１３２がその波長光を検知可能となる（ステップＳｃ３で「Ｙｅｓ」）。受光素子１３２が上記波長光を検知することで、ＣＰＵ１１０はユーザが認証情報保持装置１を外したことを認識し、メモリ１１１内の指紋データ、暗証番号データを消去する（ステップＳｃ５）。受光素子１３２が上記波長光を検知しない場合は（ステップＳｃ３で「Ｎｏ」）、ユーザが認証情報保持装置１を装着していることになる。
【００１９】
以上説明したように、本実施形態によれば、ユーザの指紋データや暗証番号データが記憶されたデータ処理部を、ユーザが装着する指輪に取り付け、そのデータ処理部を自動車のドアの読取部に近接し、解錠、施錠を行う。また、指輪を外すと、指輪の内周部にあるセンサが検知し、データ処理部に記憶されたユーザのデータが消去する。よって、ユーザ本人のみが自動車のドアを解錠、施錠することができ、自動車の盗難を防止することができる。また、指輪を紛失しても、指輪が外れることでデータ処理部に記憶されたデータが消えるので、拾得した人に悪用されるおそれがない。
【００２０】
以上、本発明の実施形態について図面を参照して詳述してきたが、具体的な構成はこの実施形態に限られるものではなく、本発明の要旨を逸脱しない範囲の設計変更等も含まれる。
【００２１】
例えば、上記実施形態では、指輪による認証情報保持装置であったが、腕輪や腕時計であってもよい。
また、上記実施形態では、自動車のドアロックについてであったが、本発明はこれに限定されるものではなく、自動車のエンジンロック、住宅の鍵、クレジットカードの本人認証に用いてもよい。
【００２２】
【発明の効果】
以上の説明で明らかなように、本発明によれば、ユーザの身体に装着する装身具内の記憶手段が、装着したユーザの個人情報を記憶し、外部の認証装置に送信する。これにより、装身具を装着したユーザのみが個人情報を外部の認証装置に送信することができ、装身具を鍵代わりとして、自動車や住宅の鍵やクレジットカードなど各種個人認証に使用することができる。また、鍵やカードの紛失防止に役立つ。
また、検知結果によりユーザの装着が検知されない場合、制御手段が記憶手段で記憶された個人情報を消去するので、装身具が盗難されても個人情報が記憶されていないために悪用できず、ユーザになりすまして盗難が起こるのを防ぐことができる。
【図面の簡単な説明】
【図１】本発明の一実施形態における認証情報保持装置１とドア制御装置２の概略構成を示すブロック図である。
【図２】同実施形態における認証情報保持装置１の構成図である。
【図３】同実施形態における本人認証入力装置３のブロック図である。
【図４】同実施形態における本人認証入力装置３の構成図である。
【図５】同実施形態における本人認証入力装置３の動作を示すフローチャートである。
【図６】同実施形態におけるドア制御装置２が解錠される動作を示すフローチャートである。
【図７】同実施形態におけるドア制御装置２が解錠される動作の概略図である。
【図８】同実施形態におけるデータ処理部１１のデータを消去する動作を示すフローチャートである。
【符号の説明】
１…認証情報保持装置、２…ドア制御装置、１１…データ処理部、１１０…ＣＰＵ、１１１…メモリ、１１２…アンテナ、１１３…送受信部、１３…装着認識センサ、１３１…発光素子、１３２…受光素子、１４…太陽電池、２０…ドアロック制御部、２１…読取部、２２…ドアロック部、２３…記憶部
【図１】
2004145552.tif 000003
【図２】
2004145552.tif 000004
【図３】
2004145552.tif 000005
【図４】
2004145552.tif 000006
【図５】
2004145552.tif 000007
【図６】
2004145552.tif 000008
【図７】
2004145552.tif 000009
【図８】
2004145552.tif 000010